(57)【要約】【課題】薬を正確に服用しているかどうかは、服用する人または付き添いの人の記憶に頼っているため、時々、服用を忘れてしまうことや二重に服用したりする。そして、その確認は服用する人または付き添いの人にとっては煩わしい。【解決手段】錠剤の薬が入ったＰＴＰシートを表側に向けて、ＰＴＰシートの左側と右側にそれぞれ記入台を付ける。そして薬１個ずつに対する服用日時を記入台に筆記具で記入する。記入が終わったら記入台をＰＴＰシートの裏側に戻しておく。薬を服用するとき服用したかどうかを確認するときはＰＴＰシートの裏側の記入台をそれぞれ右方向と左方向に開ける。ＰＴＰシートを表側に向けて該当する服用日時の薬を取り出して服用するかまたは薬剤の服用日時記入台で予定された服用日時を確認する。【選択図】 図１
2009101036.tif 000002
【特許請求の範囲】
【請求項１】
複数個の薬が長手方向に２列に並んで包装された長方形のＰＴＰシートで、薬１個ずつと対応するそれぞれ薬の服用日時が前記ＰＴＰシートの長手方向と直交する方向に同列となるように記入する記入欄を設けた記入台を、前記ＰＴＰシートを表側に向けて前記ＰＴＰシートの長手方向の左側と右側にそれぞれ設けたことを特徴とする薬剤の服用日時記入台。
【請求項２】
請求項１記載のＰＴＰシートを裏側に向けて、前記ＰＴＰシートの長手方向の左端部分に請求項１記載の記入台の台となる長方形で所要形状した合成樹脂の長手方向の右端部分を貼り付け、次に前記ＰＴＰシートの長手方向の右端部分に前記と同様の合成樹脂の長手方向の左端部分を貼り付け、そして前記ＰＴＰシートを表側に向けて、前記ＰＴＰシートの長手方向の左側と右側の前記合成樹脂の上に請求項１記載の記入台をそれぞれ貼り付け、さらに前記記入台の各辺の長さは前記合成樹脂の対応する各辺の長さより小さいことを特徴とする薬剤の服用日時記入台。
【請求項３】
請求項１記載のＰＴＰシートを裏側に向けて、前記ＰＴＰシートの長辺の長さと前記ＰＴＰシートに貼設する請求項１記載の記入台の台となる所要形状した合成樹脂の前記ＰＴＰシートの長手方向の長さとは同じ大きさで、前記ＰＴＰシートの長手方向と直交する前記合成樹脂の横辺の長さはＰＴＰシートの短辺の長さの３倍の大きさとほぼ同じ大きさであり、次に前記ＰＴＰシートの長辺の長さと前記ＰＴＰシートに貼設する前記合成樹脂の前記ＰＴＰシートの長手方向の長さを整合し、前記ＰＴＰシートの中心に前記合成樹脂の中心を合わせて前記ＰＴＰシートの裏面に前記合成樹脂を貼り付け、また前記合成樹脂にはあらかじめ前記ＰＴＰシートの裏面に前記合成樹脂を貼り付けた時の薬１個ずつに対する部分に穴を開け、そして前記ＰＴＰシートを表側に向けて、前記ＰＴＰシートの長手方向の左側と右側の前記合成樹脂の上に請求項１記載の記入台をそれぞれ貼り付け、さらに前記記入台の各辺の長さは前記合成樹脂の対応する各辺の長さより小さいことを特徴とする薬剤の服用日時記入台。
【請求項４】
請求項１記載のＰＴＰシートを裏側に向けて、前記ＰＴＰシートの長手方向の左端部分に請求項１記載の記入台の台となる長方形で所要形状した合成樹脂の長手方向の右端部分を貼り付け、次に前記ＰＴＰシートの長手方向の右端部分に前記と同様の合成樹脂の長手方向の左端部分を貼り付け、そして前記ＰＴＰシートを表側に向けて、前記ＰＴＰシートの長手方向の左側と右側の前記合成樹脂の表面に請求項１記載の記入欄を印字した記入台をそれぞれ設けたことを特徴とする薬剤の服用日時記入台。
【請求項５】
請求項１記載のＰＴＰシートを裏側に向けて、前記ＰＴＰシートの長辺の長さと前記ＰＴＰシートに貼設する請求項１記載の記入台の台となる所要形状した合成樹脂の前記ＰＴＰシートの長手方向の長さとは同じ大きさで、前記ＰＴＰシートの長手方向と直交する前記合成樹脂の横辺の長さは前記ＰＴＰシートの短辺の長さの３倍の大きさとほぼ同じ大きさであり、前記ＰＴＰシートの長辺の長さと前記ＰＴＰシートに貼設する前記合成樹脂のＰＴＰシートの長手方向の長さを整合し、前記ＰＴＰシートの中心に前記合成樹脂の中心を合わせてＰＴＰシートの裏面に前記合成樹脂を貼り付け、また前記合成樹脂にはあらかじめ前記ＰＴＰシートの裏面に前記合成樹脂を貼り付けた時の薬１個ずつに対する部分に穴を開け、さらに前記ＰＴＰシートを表側に向けて、前記ＰＴＰシートの長手方向の左側と右側の前記合成樹脂の表面に請求項１記載の記入欄を印字した記入台をそれぞれ設けたことを特徴とする薬剤の服用日時記入台。
【発明の詳細な説明】
【技術分野】
【０００１】
本発明は、薬に対して服用日時が記入できる薬剤の服用日時記入台に関するものでる。
【背景技術】
【０００２】
従来、医院や薬局で処方される薬は、薬を入れた外袋の表や薬剤情報提供書が記入されている。また、医者や薬剤師が口頭で服用方法を説明することもある。
【０００３】
【特許文献１】特開２００７−２０２９６８
【発明の開示】
【発明が解決しようとする課題】
【０００４】
そのために、次のような問題点があった。
（イ）毎日、服用方法に示された日時に正確に服用しているかどうかは、服用する人または付き添いの人の記憶に頼っているため、時々、服用を忘れてしまうことや二重に服用したりする。そして、服用の確認は容易にはできないため、服用する人または付き添いの人にとっては煩わしい。
（ロ）医院や薬局の処方どおりに服用されないため、病気の治療に影響する。
（ハ）最後は薬が余ったり、足りなくなってしまうことになる。
（ニ）薬の外袋や薬剤情報提供書を紛失すると服用方法が分からなくなる。
本発明は、以上の問題点を解決するためになされたものである。
【課題を解決するための手段】
【０００５】
薬が入っているＰＴＰシートの表側の左側にＰＴＰシートとほぼ同じ大きさの記入台をＰＴＰシートに付け、同様にＰＴＰシートの表側の右側にＰＴＰシートとほぼ同じ大きさの記入台をＰＴＰシートに付ける。両側の記入台には薬１個ずつと対応するそれぞれの薬の服用日時がＰＴＰシートの長手方向と直交する方向に同列となるように記入する記入欄が設けられている。
本発明は、以上の構成よりなる薬剤の服用日時記入台である。
【発明の効果】
【０００６】
（イ）毎日、予定された服用日時に正確に服用しているかどうかは、人の記憶に頼らなくても薬剤の服用日時記入台を見れば容易に確認できるため、服用する人または付き添いの人にとって煩わしさは少なくなる。
（ロ）医院や薬局の処方どおりに服用できる。
（ハ）薬が余ったり、足りなくなることもなくなる。
（ニ）薬の外袋や薬剤情報提供書を見なくても、薬の服用方法が確認できる。
【発明を実施するための最良の形態】
【０００７】
以下、本発明の実施の形態を図１，図２に基づいて説明する。
複数個の薬が長手方向に２列に並んで包装された長方形のＰＴＰシート（１）を裏側に向けて、ＰＴＰシート（１）の長手方向の左端部分に薬１個ずつと対応するそれぞれの薬の服用日時がＰＴＰシートの長手方向と直交する方向に同列となるように記入する記入欄を設けた記入台（２）の台となる長方形で所要形状した形でけが防止のために手で触っても柔らかい合成樹脂（４）の長手方向の右端部分を貼り付け、同様にＰＴＰシート（１）の長手方向の右端部分に前記と同様の記入台（３）の台となる前記と同様の合成樹脂（５）の長手方向の左端部分を貼り付ける。
【０００８】
次にＰＴＰシート（１）を表側に向けてＰＴＰシート（１）の長手方向の右側の合成樹脂（４）の上に記入台（２）を貼り付け、左側の合成樹脂（５）の上に記入台（３）を貼り付ける。記入台（２），（３）には、薬１個ずつと対応するそれぞれの薬の服用日時がＰＴＰシートの長手方向と直交する方向に同列となるように記入する記入欄が印字されている。次に合成樹脂（４）をＰＴＰシート（１）の裏側に折り曲げ、そして合成樹脂（４）の上から重ねて合成樹脂（５）をＰＴＰシート（１）の裏側に折り曲げ、合成樹脂（５）の左端部分を記入台（２）と合成樹脂（４）に粘着させる。
【０００９】
医院や薬局から薬を受け取った後、初めて薬剤の服用日時記入台を使用する場合はＰＴＰシート（１）の裏側の合成樹脂（５）の左端の粘着部分をはがし、合成樹脂（５）を右方向へ開け、次に合成樹脂（４）を左方向へ開ける。ＰＴＰシート（１）を表側に向けて薬１個ずつに対する服用日時を記入台（２），（３）に筆記具で記入する。記入が終わったら、合成樹脂（４）をＰＴＰシート（１）の裏側に戻し、合成樹脂（４）の上から重ねて合成樹脂（５）をＰＴＰシート（１）の裏側に戻して、ＰＴＰシート（１）と合成樹脂（４），（５）を輪ゴムなどで留め、そして薬の外袋に収納する。
【００１０】
薬を服用する時または服用したかどうか確認するときは、輪ゴムなどをはずしてＰＴＰシート（１）を裏側に向けて、合成樹脂（５）を右方向へ開け、合成樹脂（４）を左方向へ開ける。次にＰＴＰシート（１）を表側に向けて、該当する服用日時の薬を取り出して服用するかまたは記入台（２），（３）で服用日時を確認する。
【実施例１】
【００１１】
１０個の錠剤の薬が長手方向に２列に並んで包装された長方形のＰＴＰシート（１）を裏側に向けて、ＰＴＰシート（１）の右の長辺の長さとＰＴＰシート（１）と同じ大きさでけが防止のために手で触っても柔らかい合成樹脂（５）の左の長辺の長さを整合し、ＰＴＰシート（１）の長手方向の横幅３mmの右端部分に合成樹脂（５）の長手方向の横幅３mm
の左端部分を貼り付け、同様にＰＴＰシート（１）の左の長辺の長さと前記と同様の合成樹脂（４）の右の長辺の長さを整合し、ＰＴＰシート（１）の長手方向の横幅３ｍｍの左端部分に合成樹脂（４）の長手方向の横幅３ｍｍの右端部分を貼り付ける。
【００１２】
次にＰＴＰシート（１）を表側に向けて、ＰＴＰシート（１）の長手方向の右側にある合成樹脂（４）の上に、長辺がＰＴＰシート（１）の長辺の長さより４ｍｍ短かくて短辺がＰＴＰシート（１）の短辺の長さより６ｍｍ短い大きさの記入台（２）をＰＴＰシート（１）の右の長辺の中心に記入台（２）の左の長辺の中心が接するように貼り付け、同様にＰＴＰシート（１）の長手方向の左側にある合成樹脂（５）の上に、長辺がＰＴＰシート（１）の長辺の長さより４ｍｍ短かくて短辺がＰＴＰシート（１）の短辺の長さより６ｍｍ短い大きさの記入台（３）をＰＴＰシート（１）の左の長辺の中心に記入台（３）の右の長辺の中心が接するように貼り付ける。記入台（２），（３）はボールペンや鉛筆で記入できるように紙で出来ており、薬１個ずつと対応するそれぞれの薬の服用日時がＰＴＰシートの長手方向と直交する方向に同列となるように記入する記入欄が印字されている。そして合成樹脂（４）をＰＴＰシート（１）の裏側に折り曲げ、合成樹脂（４）の上から重ねて合成樹脂（５）をＰＴＰシート（１）の裏側に折り曲げ、合成樹脂（５）の左端部分を記入台（２）と合成樹脂（４）に粘着させる。
【００１３】
医院や薬局から薬を受け取った後、初めて薬剤の服用日時記入台を使用する場合は、ＰＴＰシート（１）を裏側に向けて、合成樹脂（５）の左端の粘着部分をはがし、合成樹脂（５）を右方向へ開け、次に合成樹脂（４）を左方向へ開ける。そしてＰＴＰシート（１）を表側に向けて薬１個ずつに対する服用日時を記入台（２），（３）に筆記具で記入する。記入が終わったら、合成樹脂（４）をＰＴＰシート（１）の裏側に戻し、合成樹脂（４）の上から重ねて合成樹脂（５）をＰＴＰシート（１）の裏側に戻して、ＰＴＰシート（１）と合成樹脂（４），（５）を輪ゴムなどで留め、そして薬の外袋に収納する。
【００１４】
薬を服用する時または服用したかどうか確認する時は、輪ゴムなどをはずしてＰＴＰシート（１）を裏側に向けて、合成樹脂（５）を右方向へ開け、次に合成樹脂（４）を左方向へ開ける。そしてＰＴＰシート（１）を表側に向けて該当する服用日時の薬を取り出して服用するかまたは服用日時を記入台（２），（３）で確認する。
【実施例２】
【００１５】
１０個の錠剤の薬が長手方向に２列に並んで包装された長方形のＰＴＰシート（１１）を裏側に向けて、ＰＴＰシート（１）の長辺の長さとＰＴＰシート（１）に貼設する記入台の台となる所要形状した形でけが防止のために手で触っても柔らかい合成樹脂のＰＴＰシート（１）の長手方向の長さとは同じ大きさで、ＰＴＰシート（１）の長手方向と直交する前記合成樹脂の横辺の長さはＰＴＰシート（１）の短辺の長さの３倍の大きさから６ｍｍ短い大きさであり、ＰＴＰシート（１）の長辺の長さとＰＴＰシート（１）に貼設する前記合成樹脂のＰＴＰシート（１）の長手方向の長さを整合し、次にＰＴＰシート（１）の中心に前記合成樹脂の中心を合わせＰＴＰシート（１）の裏面に前記合成樹脂を貼り付ける。またＰＴＰシート（１）の裏側から薬を取り出すため前記合成樹脂にはあらかじめＰＴＰシート（１）の裏側に前記合成樹脂を貼った時の薬１個ずつに対する部分に穴を開けておく。
【００１６】
次にＰＴＰシート（１）を表側に向けて、ＰＴＰシート（１）の長手方向の右側にある前記合成樹脂の上に、長辺がＰＴＰシート（１）の長辺の長さより４ｍｍ短かくて短辺がＰＴＰシート（１）の短辺の長さより６ｍｍ短い大きさの記入台（２）をＰＴＰシートの右の長辺の中心に記入台（２）の左の長辺の中心が接するように貼り付け、同様にＰＴＰシート（１）の長手方向の左側にある前記合成樹脂の上に、長辺がＰＴＰシート（１）の長辺の長さより４ｍｍ短かくて短辺がＰＴＰシート（１）の短辺の長さより６ｍｍ短い大きさの記入台（３）をＰＴＰシートの左の長辺の中心に記入台（３）の右の長辺の中心が接するように貼り付ける。記入台（２），（３）はボールペンや鉛筆で記入できるように紙で出来ており、薬１個ずつと対応するそれぞれの薬の服用日時がＰＴＰシートの長手方向と直交する方向に同列となるように記入する記入欄が印字されている。そして記入台（２）をＰＴＰシート（１）の裏側に折り曲げ、記入台（２）の上から重ねて記入台
（３）をＰＴＰシート（１）の裏側に折り曲げ、記入台（３）の台となる前記合成樹脂の左端部分を記入台（２）と記入台（２）の台となる前記合成樹脂に粘着させる。
【００１７】
医院や薬局から薬を受け取り、初めて薬剤の服用日時記入台を使用する場合は、ＰＴＰシート（１）を裏側に向けて、記入台（３）の台となる前記合成樹脂の左端の粘着部分をはがし、記入台（３）を右方向へ開け、次に記入台（２）を左方向へ開ける。そしてＰＴＰシート（１）を表側に向けて、薬１個ずつに対する服用日時を記入台（２），（３）に筆記具で記入する。記入が終わったら、記入台（２）をＰＴＰシート（１）の裏側に戻し、記入台（２）の上から重ねて記入台（３）をＰＴＰシート（１）の裏側に戻して、ＰＴＰシート（１）と記入台（２），（３）を輪ゴムなどで留め、そして薬の外袋に収納する。
【００１８】
薬を服用する時または服用したかどうか確認する時は、輪ゴムなどをはずしてＰＴＰシート（１）を裏側に向けて、記入台（３）を右方向へ開け、記入台（２）を左方向へ開ける。ＰＴＰシート（１）を表側に向けて該当の服用日時の薬を取り出して服用するかまたは記入台（２），（３）で服用日時を確認する。
【実施例３】
【００１９】
１０個の錠剤の薬が長手方向に２列に並んで包装された長方形のＰＴＰシート（１）を裏側に向けて、ＰＴＰシート（１）の右の長辺の長さとＰＴＰシート（１）に貼設するＰＴＰシート（１）と同じ大きさでけが防止のために手で触っても柔らかい合成樹脂（５）の左の長辺の長さを整合し、ＰＴＰシート（１）の長手方向の横幅３ｍｍの右端部分に合成樹脂（５）の横幅３ｍｍの左端部分を貼り付け、同様にＰＴＰシート（１）の左の長辺の長さとＰＴＰシート（１）に貼設する前記と同様の合成樹脂（４）の右の長辺の長さを整合し、ＰＴＰシート（１）の長手方向の横幅３ｍｍの左端部分に合成樹脂（４）の長手方向の横幅３ｍｍの右端部分を貼り付ける。
【００２０】
次にＰＴＰシート（１）を表側に向けて、ＰＴＰシート（１）の長手方向の右側の合成樹脂（４）と左側の合成樹脂（５）の表面に薬１個ずつと対応するそれぞれの薬の服用日時がＰＴＰシートの長手方向と直交する方向に同列となるように記入する記入欄を印字した記入台をそれぞれ設け、そして合成樹脂（４）をＰＴＰシート（１）の裏側に折り曲げ、合成樹脂（４）の上から重ねて合成樹脂（５）をＰＴＰシート（１）の裏側に折り曲げ、合成樹脂（５）の左端部分を合成樹脂（４）に粘着させる。
【００２１】
医院や薬局から薬を受け取った後、初めて薬剤の服用日時記入台を使用する場合は、ＰＴＰシート（１）を裏側に向けて合成樹脂（５）の左端の粘着部分をはがし、合成樹脂（５）を右方向へ開け、次に合成樹脂（４）を左方向へ開ける。そしてＰＴＰシート（１）を表側に向けて薬１個ずつに対する服用日時を合成樹脂（４），（５）の記入台にマジックインクなどの筆記具で記入する。記入が終わったら、合成樹脂（４）をＰＴＰシート（１）の裏側に戻し、合成樹脂（４）の上から重ねて合成樹脂（５）をＰＴＰシート（１）の裏側に戻して、ＰＴＰシート（１）と合成樹脂（４），（５）を輪ゴムなどで留め、そして薬の外袋に収納する。
【００２２】
薬を服用する時または服用したかどうか確認する時は、輪ゴムなどをはずしてＰＴＰシート（１）を表側に向けて該当する服用日時の薬を取り出して服用するかまたは合成樹脂（４）、（５）の記入台で服用日時を確認する。
【実施例４】
【００２３】
１０個の錠剤の薬が長手方向に２列に並んで包装された長方形のＰＴＰシート（１）を裏側に向けて、ＰＴＰシート（１）の長辺の長さとＰＴＰシート（１）に貼設する記入台の台となる所要形状した形でけが防止のために手で触っても柔らかい合成樹脂のＰＴＰシート（１）の長手方向の長さとは同じ大きさで、ＰＴＰシート（１）の長手方向と直交する前記合成樹脂の横辺の長さはＰＴＰシート（１）の短辺の長さの３倍の大きさから６ｍｍ短い大きさであり、ＰＴＰシート（１）の長辺の長さとＰＴＰシート（１）に貼設する前記合成樹脂のＰＴＰシート（１）の長手方向の長さを整合し、次にＰＴＰシート（１）の中心に前記合成樹脂の中心を合わせてＰＴＰシート（１）の裏面に前記合成樹脂を貼り付け、またＰＴＰシート（１）の裏側から薬が取り出し出来るように前記合成樹脂にはあらかじめＰＴＰシート（１）の裏面に前記合成樹脂を貼り付けた時の薬１個ずつに対する部分に穴を開けておく。
【００２４】
次にＰＴＰシート（１）を表側に向けて、ＰＴＰシート（１）の長手方向の左側と右側の前記合成樹脂の表面に薬１個ずつと対応するそれぞれの薬の服用日時がＰＴＰシートの長手方向と直交する方向に同列となるように記入する記入欄を印字した記入台をそれぞれ設け、そして前記右側の合成樹脂をＰＴＰシート（１）の裏側に折り曲げ、前記右側の合成樹脂の上から重ねて前記左側の合成樹脂をＰＴＰシート（１）の裏側に折り曲げ、前記左側の合成樹脂の左端部分を前記右側の合成樹脂に粘着させる。
【００２５】
医院や薬局から薬を受け取った後、初めて薬剤の服用日時記入台を使用する場合は、ＰＴＰシート（１）を裏側に向けて、前記左側の合成樹脂の左端の粘着部分をはがし、前記左側の合成樹脂を右方向へ開け、次に前記右側の合成樹脂を左方向へ開ける。そしてＰＴＰシート（１）を表側に向けて薬１個ずつに対する服用日時を前記右側の合成樹脂と前記左側の合成樹脂の記入台にマジックインクなどの筆記具で記入する。記入が終わったら、前記右側の合成樹脂をＰＴＰシート（１）の裏側に戻し、前記右側の合成樹脂の上から重ねて前記左側の合成樹脂をＰＴＰシート（１）の裏側に戻して、ＰＴＰシート（１）と前記右側の合成樹脂と前記左側の合成樹脂を輪ゴムなどで留め、そして薬の外袋に収納する。
【００２６】
薬を服用する時または服用したかどうか確認する時は、輪ゴムなどをはずしてＰＴＰシート（１）を表側に向けて、該当の服用日時の薬を取り出して服用するかまたは前記右側の合成樹脂と前記左側の合成樹脂の記入台で服用日時を確認する。
【図面の簡単な説明】
【００２７】
【図１】本発明の使用時の平面図
【図２】本発明の不使用時の裏面図
【符号の説明】
【００２８】
（１）ＰＴＰシート（２）記入台（３）記入台（４）合成樹脂（５）合成樹脂
（６）粘着部
【図１】
2009101036.tif 000003
【図２】
2009101036.tif 000004